(57)【特許請求の範囲】
【請求項１】
独立基礎として設計されたプレキャストコンクリート製の基礎スラブを互いに連結することなく敷き並べ、基礎スラブの上にボルト連結された鉄骨製の基礎梁により基礎相互間の力の伝達を行うように構成した建築物の基礎であって、プレキャストコンクリート製の基礎スラブの上に、当該基礎スラブに対応する長さに設定され、両端にボルト孔が形成された鉄骨製の基礎梁を、両端が基礎スラブの両端と一致した状態にボルト連結して構成された基礎ユニットを敷き並べ、基礎梁同士をボルト連結して構成したことを特徴とする建築物の基礎。
【請求項２】
隣り合う基礎スラブ同士の端部に互いに嵌合する凹凸部が形成されている請求項１に記載の建築物の基礎。
【請求項３】
独立基礎として設計されたプレキャストコンクリート製の基礎スラブの上に、当該基礎スラブに対応する長さに設定され、両端にボルト孔が形成された鉄骨製の基礎梁を、両端が基礎スラブの両端と一致した状態にボルト連結して成る基礎ユニットであって、前記基礎スラブの一端に嵌合用の凸部が形成され、他端に前記凸部に対応する凹部が形成され、下面に複数の突起部が形成されていることを特徴とする基礎ユニット。
【発明の詳細な説明】
【０００１】
【発明の属する技術分野】
本発明は、例えば鉄骨造の簡易建物に好適な建築物の基礎と、その構築に使用する基礎ユニットに関する。
【０００２】
【従来の技術】
プレキャストコンクリート製の基礎ユニットを使用して布基礎を構築することは、既に知られており、特許第２７８５０６３号によっても提案されている。これらは、基礎コンクリートを現場打ちする場合に比べると、現場作業を省力化できるとはいえ、何れも、個々の基礎ユニットを接合する際、基礎ユニット相互の力の伝達を前提としているため、力の伝達機構を成立させるための接合部の施工に手間がかかり、このことが工期短縮を妨げる要因となっている。
【０００３】
また、プレキャストコンクリート製基礎ユニットにおけるベース部および立上り部の接合部にコンクリートを現場打ちしたり、特許第２７８５０６３号に記載されているように
、グラウト材を充填することは、力の伝達機構を成立させる上で有効であるが、基礎ユニット同士が固結物によって一体化されるため、解体撤去や再利用が困難である。
【０００４】
尚、特開平９−６０００５号公報には、プレキャストコンクリート製の基礎ベースの上に鉄骨製の基礎梁をボルト連結して成る建築物の基礎が開示されているが、この基礎は、基礎ベースを現場打ちコンクリートによって形成することが他の実施例として記載されているところからみて、明らかに布基礎である。従って、プレキャストコンクリート製の基礎ベース同士の接合は、上述した特許第２７８５０６３号等の従来例と同じく、力の伝達を前提としており、力の伝達機構を成立させるための接合部の施工に手間がかかり且つ解体撤去や再利用が困難である点では、大同小異である。
【０００５】
【発明が解決しようとする課題】
本発明は、上記の点に留意してなされたものであって、その目的とするところは、工期短縮が可能であり、しかも、解体撤去や再利用が容易な建築物の基礎と、その構築に好適な基礎ユニットを提供することにある。
【０００６】
【課題を解決するための手段】
上記の課題を解決するために、本発明が講じた技術的手段は、次のとおりである。即ち、請求項１に記載の発明による建築物の基礎は、独立基礎として設計されたプレキャストコンクリート製の基礎スラブを互いに連結することなく敷き並べ、基礎スラブの上にボルト連結された鉄骨製の基礎梁により基礎相互間の力の伝達を行うように構成した建築物の基礎であって、プレキャストコンクリート製の基礎スラブの上に、当該基礎スラブに対応する長さに設定され、両端にボルト孔が形成された鉄骨製の基礎梁を、両端が基礎スラブの両端と一致した状態にボルト連結して構成された基礎ユニットを敷き並べ、基礎梁同士をボルト連結して構成したことを特徴としている。
【０００７】
上記の基礎は、プレキャストコンクリート製の基礎スラブの上に、当該基礎スラブに対応する長さに設定され、両端にボルト孔が形成された鉄骨製の基礎梁を、両端が基礎スラブの両端と一致した状態にボルト連結して構成された基礎ユニットを用いて構成されるものであり、しかも、布基礎ではなく、言わば連続した独立基礎として設計を行い、基礎スラブ相互間の力の伝達は考慮せず、基礎相互間の力の伝達は基礎スラブ上に設置した鉄骨製の基礎梁で行うもので、基礎スラブと基礎梁の役割を各々に分割したことにより、基礎スラブ相互間は、力の伝達機構を考慮しないで済み、連結の必要がないため、工期の短縮が可能である。
【０００８】
また、基礎スラブ相互が現場打ちコンクリートやグラウト材で連結されていないため、はつり作業が不要で、解体撤去や再利用が容易である。殊に、鉄骨製の基礎梁が基礎スラブの上にボルト連結されているので、基礎梁と基礎スラブを分離することができ、再利用に備えてストックしておくことが容易である。
【０００９】
また、請求項２に記載の発明では、隣り合う基礎スラブ同士の端部に互いに嵌合する凹凸部が形成されているので、地面に基礎スラブを設置する際、凹凸部の嵌合により基礎スラブ同士が位置決めされることになり、施工が容易である。
【００１０】
【００１１】
請求項３に記載の発明による基礎ユニットは、独立基礎として設計されたプレキャストコンクリート製の基礎スラブの上に、当該基礎スラブに対応する長さに設定され、両端にボルト孔が形成された鉄骨製の基礎梁を、両端が基礎スラブの両端と一致した状態にボルト連結して成る基礎ユニットであって、前記基礎スラブの一端に嵌合用の凸部が形成され、他端に前記凸部に対応する凹部が形成され、下面に複数の突起部が形成されていること
を特徴としている。この基礎ユニットを使用することによって、工期の短縮が可能であるばかりでなく、上述した建築物の基礎を容易に構築できる。即ち、基礎スラブの下面に複数の突起部が形成されているので、基礎ユニットを地面に設置する際、地面に多少の凹凸があっても、突起部をめり込ませることによって、容易に水平に且つレベルを揃えて設置することができ、しかも、隣り合う基礎スラブの凸部と凹部を互いに嵌合させることによって基礎ユニット同士が位置決めされるため、水糸を張らなくても、基礎ユニットを一直線に敷き並べることが可能であり、基礎スラブ上に設置されている鉄骨製の基礎梁同士を容易にボルト連結することができ、これらの結果として、上述した建築物の基礎を容易に構築できるのである。また、鉄骨製の基礎梁は、基礎スラブの上にボルト連結されているため、基礎梁と基礎スラブを分離することが可能であり、基礎スラブ同士を積み重ね、且つ、基礎梁同士を一纏めにして、コンパクトな状態で保管することができ、再利用に備えてストックしておくことが容易である。
【００１２】
【発明の実施の形態】
図１〜図４は、例えば建築現場の作業事務所のように、解体撤去が予定されている鉄骨造の二階建て程度の簡易建物に好適な建築物の基礎を例示する。上記の基礎は、後述する基礎ユニット１Ａ，１Ｂを用いて構築されたものであって、独立基礎として設計されたプレキャストコンクリート製の基礎スラブ２を互いに連結することなく敷き並べ、基礎スラブ２の上にボルト連結された鉄骨製の基礎梁３により基礎相互間の力の伝達を行うように構成したものである。ＧＬは、基礎の構築完了後、基礎下部を所定レベルまで土砂で埋め戻した設計上のグランドラインである。
【００１３】
図５と図６は、基礎直線部に用いられる基礎ユニット１Ａを示し、図７と図８は、基礎コーナー部に用いられる基礎ユニット１Ｂを示す。これらの基礎ユニット１Ａ，１Ｂは、独立基礎として設計された平板状をなすプレキャストコンクリート製の基礎スラブ２の上に、当該基礎スラブ２に対応する長さに設定され、両端にボルト孔４が形成された鉄骨製の基礎梁３を、図示の通り、両端が基礎スラブ２の両端と一致した状態にボルト５で連結して構成したものであって、前記基礎スラブ２の一端に嵌合用の凸部６が形成され、他端に前記凸部６に対応する凹部７が形成され、下面には複数（図示の例では、４個）の突起部８が形成されている。
【００１４】
図示の凸部６は、上面が基礎スラブ２上面と面一で、両側面の間隔が先端側程狭まり、下面が先端側程上方に位置するように傾斜して、先尖りのテーパ状に形成されており、凹部７はこれと嵌合する形状に形成されている。図３、図４、図９、図１０に示す９は、基礎スラブ２のコンクリートに埋設された補強鉄筋、１０は、ボルト５と螺合する雌ネジ状のインサート金物である。図２、図３に示す１１は、基礎梁３同士を連結するボルト、１２は基礎梁３のウエブを挟持する当て板である。図２、図５、図７に示す１３は、基礎梁３の上フランジ部に形成された柱鉄骨連結用のボルト孔である。
【００１５】
尚、基礎直線部に用いられる基礎ユニット１Ａと、基礎コーナー部に用いられる基礎ユニット１Ｂとは、前者１Ａが基礎スラブ２、基礎梁３とも直線的な形状であるのに対し、後者１Ｂでは、基礎スラブ２および基礎梁３が直角に折れ曲がった形状である点でのみ相違し、他の構成は同じである。前記基礎梁３として、図示の例では、断面コ字状の型鋼を用いているが、Ｉ型鋼やＨ型鋼等を用いてもよい。また、基礎ユニット１Ａ，１Ｂの寸法は、任意に設定できるが、図示の例では、両基礎ユニット１Ａ，１Ｂとも、基礎スラブ２の厚さが２０ｃｍ、短辺が６０ｃｍに設定されており、基礎ユニット１Ａにおける基礎スラブ２の長辺は約１．８ｍに設定され、基礎ユニット１Ｂにおける基礎スラブ２の出隅から短辺までの長さは、基礎梁３上に立設される鉄骨柱のピッチが一定となる寸法に設定されている。
【００１６】
上記の構成によれば、布基礎ではなく、言わば連続した独立基礎として設計を行い、基礎スラブ２相互間の力の伝達は考慮せず、基礎相互間の力の伝達は基礎スラブ２上に設置した鉄骨製の基礎梁３で行うもので、基礎スラブ２と基礎梁３の役割を各々に分割したことにより、基礎スラブ２相互間は、力の伝達機構を考慮しないで済み、連結の必要がないため、工期の短縮が可能である。
【００１７】
殊に、基礎スラブ２の下面に複数の突起部８が形成されているので、基礎ユニット１Ａ，１Ｂを地面に設置する際、地面に多少の凹凸があっても、突起部８をめり込ませることによって、容易に水平に且つレベルを揃えて設置することができ、しかも、隣り合う基礎スラブ２の凸部６と凹部７を互いに嵌合させることによって基礎ユニット１Ａ，１Ｂ同士が水平方向および鉛直方向に位置決めされるため、水糸を張らなくても、基礎ユニット１Ａ，１Ｂを一直線に敷き並べることが可能であり、基礎スラブ２上に設置されている鉄骨製の基礎梁３同士を容易にボルト１１連結することができ、これらの結果として、上述した建築物の基礎を容易且つ短期間に構築できるのである。
【００１８】
また、基礎スラブ２相互が現場打ちコンクリートやグラウト材で連結されていないため、はつり作業が不要で、解体撤去や再利用が容易である。しかも、鉄骨製の基礎梁３は、基礎スラブ２の上にボルト５連結されているため、基礎梁３と基礎スラブ２を分離することが可能であり、基礎スラブ２同士を積み重ね、且つ、基礎梁３同士を一纏めにして、コンパクトな状態で保管することができ、再利用に備えてストックしておくことが容易である。
【００１９】
上記の例では、基礎スラブ２のコンクリートにインサート金物を埋設し、これにボルトをねじ込むようにしたが、図１１に示すように、基礎スラブ２のコンクリートにボルト５をその上端側が突出した状態に埋設してもよい。この場合、ボルト５の突出長さを突起部８の高さ以下に設定しておけば、ボルト５が障害物にならないので、図示の通り、基礎スラブ２同士を積み重ねることができる。
【００２０】
【発明の効果】
本発明は、上述した構成よりなり、工期短縮が可能であり、解体撤去や再利用が容易である等の効果がある。
【図面の簡単な説明】
【図１】  建築物の基礎の斜視図である。
【図２】  要部の斜視図である。
【図３】  施工が完了した基礎の縦断側面図である。
【図４】  要部の縦断正面図である。
【図５】  基礎直線部に用いる基礎ユニットの分解斜視図である。
【図６】  基礎直線部に用いる基礎ユニットの側面図である。
【図７】  基礎コーナー部に用いる基礎ユニットの分解斜視図である。
【図８】  基礎コーナー部に用いる基礎ユニットの側面図である。
【図９】  基礎直線部に用いる基礎ユニットにおけるプレキャストコンクリート製基礎スラブの一部破断平面図である。
【図１０】  基礎コーナー部に用いる基礎ユニットにおけるプレキャストコンクリート製基礎スラブの一部破断平面図である。
【図１１】  他の実施の形態を説明する側面図である。
【符号の説明】
１Ａ，１Ｂ…基礎ユニット、２…プレキャストコンクリート製の基礎スラブ、３…鉄骨製の基礎梁。
【図１】
0004436536.tif 000002
【図２】
0004436536.tif 000003
【図３】
0004436536.tif 000004
【図４】
0004436536.tif 000005
【図５】
0004436536.tif 000006
【図６】
0004436536.tif 000007
【図７】
0004436536.tif 000008
【図８】
0004436536.tif 000009
【図９】
0004436536.tif 000010
【図１０】
0004436536.tif 000011
【図１１】
0004436536.tif 000012